(57)【特許請求の範囲】
【請求項１】
軸線を上下方向に向けたガス導入口およびガス導出口が左右に並んで設けられたガスメータを支持するガスメータの支持装置であって、装置本体と、この装置本体の左右両側に設けられた流入管および流出管と、この流入管および流出管を上記装置にそれぞれ固定する固定手段とを備え、上記流入管が、その流入側端部を下方に向け、かつその流出側端部の軸線を上下方向に向けて形成され、上記流出管が、その流入側端部を上下方向に向け、かつその流出側端部を下方に向けて形成されており、上記流入管の流入側端部および上記流出管の流出側端部には、テーパねじ部を有する接続部材が回転自在に、かつ位置固定した状態でそれぞれ設けられ、各接続部材のテーパねじ部に、剛性を有する一次側および二次側のガス管の上端部がそれぞれ螺合固定されることにより、各ガス管の上端部に上記流入管および流出管がそれぞれ支持され、上記流入管の流出側端部および上記流出管の流入側端部に上記ガスメータのガス導入口およびガス導出口がそれぞれ連結されることにより、上記ガスメータが上記流入管および上記流出管に支持され、上記流入管と上記流出管とのうちの少なくとも一方が上記装置本体に対して上方へ移動可能に設けられていることを特徴とするガスメータの支持装置。
【請求項２】
上記流入管にはその内部のガス通路を開閉するガス栓が設けられており、この流入管が上記装置本体に対して上方へ移動可能に設けられていることを特徴とする請求項１に記載のガスメータの支持装置。
【請求項３】
上記流入管が、その流入側端部と流出側端部とが互いの軸線と直交する方向に離れるように形成され、その流出側端部を中心として上記装置本体に回動自在に設けられていることを特徴とする請求項１または２に記載のガスメータの支持装置。
【請求項４】
上記流出管が、その流入側端部と流出側端部とが互いの軸線と直交する方向に離れるように形成され、その流入側端部を中心として上記装置本体に回動自在に設けられていることを特徴とする請求項１〜３のいずれかに記載のガスメータの支持装置。
【請求項５】
上記流入管と上記流出管とのうちの少なくとも一方には、上記装置本体に係脱可能に係合し、係合時には上記一方の上記装置本体に対する上下方向への移動を阻止し、離脱時には上記一方の上記装置本体に対する上方への移動を許容する係合部が形成されていることを特徴とする請求項１〜４のいずれかに記載のガスメータの支持装置。
【発明の詳細な説明】
【０００１】
【発明の属する技術分野】
この発明は、地面等に立設された剛性を有するガス管とガスメータとの間に介装されて、ガスメータを支持するガスメータの支持装置に関する。
【０００２】
【従来の技術】
一般に、各家庭等にガスメータＭを設置する場合には、図１３に示すように、元栓（図示せず）に接続された鉄製の一次側ガス管Ｇ1と、家庭のガス器具（図示せず）に接続された鉄製の二次側ガス管Ｇ2とをそれぞれ地面Ｊに立設する。そして、各ガス管Ｇ1，Ｇ2の上端部に、ベンド管Ｇｂ、エルボ管Ｇｃおよび直管Ｇｓを介してガスメータＭのガス導入部Ｍａとガス導出部Ｍｂとをそれぞれ接続する。これにより、ガスメータＭをガス管Ｇ1，Ｇ2に連結し、かつ支持させている。なお、符号Ｂはガス管Ｇ1，Ｇ2を壁Ｗに固定するためのブラケットである。
【０００３】
【発明が解決しようとする課題】
上記のようにしてガスメータＭを設置する場合には、ガス管Ｇ1，Ｇ2とガスメータＭとの各間に、ベンド管Ｇｂ、エルボ管Ｇｃ、直管Ｇｓをそれぞれ接続しなければならず、その接続作業に多大の手間を要するという問題があった。
また、ベンド管Ｇｂ、エルボ管Ｇｃおよび直管Ｇｓが互いに別体であるため、それらの管理に手間が掛かるのみならず、それらの一部の手配を漏らしたり、あるいは施工中に紛失し、施工することができなくなってしまうことがあった。
【０００４】
【課題を解決するための手段】
上記の問題を解決するため、請求項１に係る発明は、軸線を上下方向に向けたガス導入口およびガス導出口が左右に並んで設けられたガスメータを支持するガスメータの支持装置であって、装置本体と、この装置本体の左右両側に設けられた流入管および流出管と、この流入管および流出管を上記装置本体にそれぞれ固定する固定手段とを備え、上記流入管が、その流入側端部を下方に向け、かつその流出側端部の軸線を上下方向に向けて形成され、上記流出管が、その流入側端部を上下方向に向け、かつその流出側端部を下方に向けて形成されており、上記流入管の流入側端部および上記流出管の流出側端部には、テーパねじ部を有する接続部材が回転自在に、かつ位置固定した状態でそれぞれ設けられ、各接続部材のテーパねじ部に、剛性を有する一次側および二次側のガス管の上端部がそれぞれ螺合固定されることにより、各ガス管の上端部に上記流入管および流出管がそれぞれ支持され、上記流入管の流出側端部および上記流出管の流入側端部に上記ガスメータのガス導入口およびガス導出口がそれぞれ連結されることにより、上記ガスメータが上記流入管および上記流出管に支持され、上記流入管と上記流出管とのうちの少なくとも一方が上記装置本体に対して上方へ移動可能に設けられていることを特徴としている。
【０００５】
この場合、上記流入管にはその内部のガス通路を開閉するガス栓が設けられており、この流入管が上記装置本体に対して上方へ移動可能に設けられていることが望ましい。
また、上記流入管が、その流入側端部と流出側端部とが互いの軸線と直交する方向に離れるように形成され、その流出側端部を中心として上記装置本体に回動自在に設けられていることが望ましい。
同様に、上記流出管が、その流入側端部と流出側端部とが互いの軸線と直交する方向に離れるように形成され、その流入側端部を中心として上記装置本体に回動自在に設けられていることが望ましい。
また、上記流入管と上記流出管とのうちの少なくとも一方には、上記装置本体に係脱可能に係合し、係合時には上記一方の上記装置本体に対する上下方向への移動を阻止し、離脱時には上記一方の上記装置本体に対する上方への移動を許容する係合部が形成されていてもよい。
【０００６】
【発明の実施の形態】
以下、この発明の好適な実施の形態について図１〜図１２を参照して説明する。
まず、図１〜図９に示すこの発明の一実施の形態について説明する。この実施の形態のガスメータの支持装置Ａは、図１〜図３に示すように、下面にガス導入口Ｍａとガス導出口Ｍｂとが左右に並んで設けられたガスメータＭを支持するためのものであり、水平に配置された支持板１（装置本体）と、この支持板１の左右の両側にそれぞれ設けられた流入管２および流出管３とを備えている。
【０００７】
支持板１は、流入管２と流出管３とを一体化させて支持装置Ａ全体をユニット化するとともに、流入管２および流出管３の位置決めをするためのものであり、そのような機能を有するものであれば、その形状、寸法等は任意である。ただし、この実施の形態では、支持板１をステンレス鋼等の比較的高い剛性を有する金属製の板材によって構成している。これは、次の理由によるものである。
【０００８】
すなわち、この発明の支持装置Ａでは、元栓（図示せず）に接続される一次側のガス管および家庭のガス器具等に接続される二次側のガス管として、鉄等からなる剛性の高いガス管Ｇ1，Ｇ2が用いられ、このガス管Ｇ1，Ｇ2が地面等に立設される。そして、各ガス管Ｇ1，Ｇ2の上端部に流入管２および流出管３がそれぞれ接続され、さらに流入管２および流出管３にガスメータＭが接続される。したがって、ガスメータＭは流入管２および流出管３を介してガス管Ｇ1，Ｇ2に支持されることになり、支持板１にガスメータＭの重量が作用することがない。したがって、支持板１としては比較的剛性の低いものであってもよい。ところが、ガス管としてフレキシブルガス管が用いられる場合には、支持板１が壁等の固定系に固定され、支持板１が流入管２および流出管３を介してガスメータＭを支持する。支持板１を固定系に固定するために、支持板１には、その後側に取付孔１１ａを有する取付部１１が形成されるとともに、中央部に左右一対の挿通孔１２が形成されている。
【０００９】
取付部１１は、地面に立設された支柱（図示せず）の上端面に支持板１を固定するためのものであり、支柱の上端部に取付部１１が載置される。そして、取付孔１１ａに上方から挿入されたボルト（図示せず）を支柱の上端部に螺合させて締め付けることにより、支持板１が支柱に固定される。
一方、支持板１を鉛直な壁面に取り付ける場合には、図９に示す取付板４が用いられる。この取付板４は、鉛直方向に延びる固定板部４１と、この固定板部４１の中央部から前方へ延びる水平板部４２とを有しており、固定板部４１が壁面にボルトＢ1によって固定される。水平板部４２には、支持板１が載置され（図６の想像線参照）、挿通孔１２に挿通されたボルトＢ2によって固定される。これにより、支持板１が取付板４を介して壁に固定される。
【００１０】
上記流入管２および流出管３は、上記支持板１に次のようにして連結されている。
すなわち、図４に示すように、支持板１の前面の左側部には、後方に向かって延びる第１ガイド溝１３Ａが形成されている。この第１ガイド溝１３Ａの奥部は、第１ガイド溝１３Ａの幅を直径とする半円部１３ａになっている。支持板１の後面の左側部には、凹部１４Ａが形成されている。凹部１４Ａは、第１ガイド溝１３Ａの真後ろに配置されている。第１ガイド溝１３Ａと凹部１４Ａとの間に位置する支持板１の左部には、第２のガイド溝１５Ａが形成されている。第２ガイド溝１５Ａは、円弧部１５ａと直線部１５ｂとを有している。円弧部１５ａは、半円部１３ａの曲率中心を中心として略四半分の円弧状をなしており、その一端部（以下、外端部という。）は、第１ガイド溝１３の後方に位置し、他端部（以下、内端部という。）は、第１ガイド溝１３Ａの右方に位置している。直線部１５ｂは、円弧部１５ａの内端部から前方へ向かって延びている。
【００１１】
支持板１の右部には、第１ガイド溝１３Ｂ、凹部１４Ｂおよび第２ガイド溝１５Ｂが形成されている。これらは、第１ガイド溝１３Ａ、凹部１４Ａおよび第２ガイド溝１５Ａと左右対称に配置形成されている。そこで、第１ガイド溝１３Ｂ、凹部１４Ｂおよび第２ガイド溝１５Ｂについての説明は省略する。
【００１２】
上記流入管２は、図３に示すように、その流入側端部（図３において左側の端部）２１および流出側端部（図３において右側の端部）２２が下方を向くよう、逆Ｕ字状に形成されている。流入管２の内部はガス通路２３（図４参照）になっている。このガス通路２３は、一端部が流入側端部２１の端面に開口し、他端部が流出側端部２２の端面に開口している。図１〜図３に示すように、流入管２は、流入側端部２１を後側に、流出側端部２２を前側に位置させた状態で、支持板２の左部にこれを上方から跨ぐように配置されている。流入側端部２１および流出側端部２２は、支持板１から下方に突出している。
【００１３】
流入管２の流出側端部２２は、第１ガイド溝１３Ａに前後方向および上下方向へ移動可能に、かつ回動可能に挿入されている。したがって、流入管２は、前後方向および上下方向へ移動可能であるとともに、流出側端部２２を中心として回動可能である。また、流出側端部２２には、右方へ突出する固定腕２４が形成され、この固定腕２４には、ボルト（固定手段）５１が上方から挿通されている。そして、このボルト５１が第２ガイド溝１５Ａにその長手方向へ移動可能に挿通されており、流入管２の回動または移動に伴ってボルト５１が第２ガイド溝１５Ａ内を移動する。
【００１４】
ここで、流入管２、第２ガイド溝１５Ａおよびボルト５１の位置関係は次のように設定されている。
すなわち、ボルト５１が円弧部１５ａの内端部に位置したときには、流入管２の流入側端部２１と流出側端部２２との前後方向に並び、かつ流出側端部２２が第１ガイド溝１３Ａの半円部１３ａにほぼ接触する。しかも、流入側端部２１が凹部１４Ａから後方に離脱している。以下、このときの流入管２の位置を閉位置という。流入管２は、閉位置から反時計方向へ回動であり、その回動に伴ってボルト５１が円弧部１５ａ内を同方向へ移動する。そして、ボルト５１が円弧部１５ａの外端部に達すると、図６に示すように、流入側端部２１と流出側端部２２とが左右に並ぶ。以下、このときの流入管２の位置を展開位置という。また、流入管２は、閉位置から前方へ移動可能であり、その移動に伴ってボルト５１が直線部１５ｂ内を前方へ移動する。そして、ボルト５１が直線部１５ｂの手前側の端部に達すると、流入側端部２１が凹部１４Ａ内に入り込む。以下、このときの流入管２の位置を前位置という。なお、前位置においても、流入管２は第１ガイド溝１３Ａから抜け出ることはない。
【００１５】
上記ボルト５１の下端部は、第２ガイド溝１５Ａから下方に突出しており、そこにはナット（図示せず）が螺合されている。ボルト５１およびナットを締め付けると、流入管２の中央部下面が支持板１の上面に押圧され、流入管２が支持板１に連結固定される。したがって、流入管２は、前位置と展開位置との間の任意の位置において固定することができる。
【００１６】
流入管２の流入側端部２１には、係合溝（係合部）２１ａが流出側端部２２と対向して形成されている。この係合溝２１ａの溝幅は、支持板１の厚さとほぼ同一寸法であり、流入管２が前位置に位置すると、凹部１４Ａに臨む支持板１の側縁部が係合溝２１ａに嵌まり込む。したがって、流入管２が前位置に位置しているとき、流入管２は上下方向へ移動不能である。勿論、流入管２を閉位置側（後側）へ移動させて、支持板１と係合溝２１ａとの係合を解除させれば、流入管２は上方へ移動可能になる。
【００１７】
係合溝２１ａに支持板１を嵌め込むようにしたのは、支持板１と流入管２とが支持板２の前後の２箇所で連結されるからである。つまり、流入管２は、前位置に位置しているときには、支持板１に対し、ボルト５１によって手前側で連結され、係合溝２１ａによって後側で連結される。その結果、支持板１が流入管２によって補強されるからである。これは、ガス管としてフレキシブルガス管が用いられたときのように、支持板１にガスメータＭの重量が作用する場合に有効であり、この実施の形態の支持板１がガス管として剛性を有するガス管Ｇ1，Ｇ2が用いられる場合のみならず、フレキシブルガス管が用いられる場合にも兼用されることを考慮したものである。支持板１が剛性を有するガス管Ｇ1，Ｇ2にのみ用いられるのであれば、係合溝２１ａは形成しなくてもよい。
【００１８】
図３および図７に示すように、流入側端部２１におけるガス通路２３の開口部には、自在継手（接続部材）５２が設けられている。自在継手５２は、流入側端部２１に対して回転自在に、かつ気密に設けられているが、流入側端部２１の軸線方向（上下方向）にはストップリング５３によって位置固定されている。自在継手５２の下端部内周面には、管用のテーパ雌ねじ部５２ａが形成されている。このテーパ雌ねじ部（テーパねじ部）５２ａには、一次側ガス管Ｇ1の上端部に形成されたテーパ雄ねじ部Ｇａが螺合固定される。これにより、流入管２がガス管Ｇ1に接続されるとともに、ガス管Ｇ1によって支持される。また、ガス管Ｇ1からガス通路２３にガスが供給される。
【００１９】
図１および図８に示すように、流入管２の流出側端部２２には、接続ナット５４が抜け止めされた状態で回動可能に設けられている。この接続ナット５４は、ガスメータＭのガス導入口Ｍａに螺合される。したがって、接続ナット５４を締め付けると、導入口Ｍａが流出側端部２２に気密に接続される。この結果、ガスメータＭには、一次側ガス管Ｇ1から流入管２を介してガスが導入される。
【００２０】
図１〜図３に示すように、流入管２の中央部には、ガス栓２５が設けられている。このガス栓２５は、ガス通路２３を開閉するためのものである。したがって、この支持装置Ａを用いた場合には、ガス管Ｇ1にガス栓を設置する必要がなく、その手間を省くことができる。なお、ガス栓２５の構造は、周知のものと同様であるので、その説明は省略する。
【００２１】
上記流出管３は、逆Ｕ字状に形成され、その内部がガス通路３３になっている点は流入管２と同様であるが、流入側端部３１が手前側に配置され、流出側端部３２が後側に配置されている。流入側端部３１には、環状溝３１ａが形成されており、この環状溝３１ａには第１ガイド溝１３Ｂに臨む支持板１の側縁部が前後方向へ移動可能に、かつ相対回動可能に嵌まり込んでいる。したがって、流出管３は前後方向へ移動可能であるとともに、流入側端部３１を中心として回動可能である。しかし、上下方向へは移動不能になっている。流出管３も、流入管２と同様に、支持板１に対して上下方向へ可能にしてもよい。
【００２２】
流入側端部３１には、固定腕３４が形成されており、この固定腕３４にはボルト５１が挿通されている。そして、ボルト５１が第２ガイド溝１５Ｂに挿通されることにより、流出管３も、前位置と閉位置との間を前後方向へ移動可能であり、流入側端部３１を中心として閉位置と展開位置との間を回動可能である。また、ボルト５１およびこれに螺合されたナット（図示せず）を締め付けることにより、流出管３が支持板１に連結固定されている。
【００２３】
流出管３の流出側端部３２の手前側を向く外周面には、係合溝（係合部）３２ａが形成されている。この係合溝３２ａは、流入管２の係合溝２１ａと同様に、流出管３が前位置に位置したときに、凹部１４Ｂに臨む支持板１の側縁部が嵌まり込み、閉位置に位置したときには支持板１が抜け出る。
【００２４】
流出管３の中央部には、突出部３５が形成されている。この突出部３５には、その先端面からガス通路３３に達する検査孔（図示せず）が形成されている。この検査孔に圧力計を接続することにより、ガスの圧力を検査することができるのみならず、元栓からガス器具までの間に漏洩があるか否かを検査することができる。なお、検査孔は、そこに螺合された止め栓３６により、検査孔の使用時以外は閉じられている。
【００２５】
また、流出管３の流入側端部３１には、接続ナット５５によりガスメータＭのガス導出口Ｍｂが接続され、流出側端部３２には二次側のガス管Ｇ2が自在継手（接続部材）５６によって接続固定されている。したがって、ガスメータＭに流入したガスは、そこで流量が検出された後、流出管３およびガス管Ｇ2を介して家庭のガス器具等に供給される。なお、流出管３とガスメータＭおよびガス管Ｇ2との接続構造は、流量管２とガスメータＭおよびガス管Ｇ1との接続構造と同様であるので、その説明は省略する。
【００２６】
次に、上記構成のガスメータの支持装置Ａの作用を説明する。
いま、ガス管Ｇ1，Ｇ2が地面等に鉛直に立設されているものとする。このガス管Ｇ1，Ｇ2にガスメータＭを設置する場合には、流入管２の流入側端部２１および流出管３の流出側端部３２を自在継手５２，５６によりガス管Ｇ1，Ｇ2にそれぞれ接続し、流入管２の流出側端部２２および流出管３の流入側端部３１を接続ナット５４，５５によりガスメータＭのガス導入口Ｍａおよびガス導出口Ｍｂにそれぞれ接続する。これにより、ガスメータＭが流入管２および流出管３を介してガス管Ｇ1，Ｇ2に支持される。
なお、流入管２および流出管３に対する、ガス管Ｇ1，Ｇ2の接続と、ガス導入口Ｍａおよびガス導出口Ｍｂの接続とは、いずれを先にいずれを後に行ってもよい。
【００２７】
このように、ガス管Ｇ1，Ｇ2とガスメータＭのガス導入口Ｍａおよびガス導出口Ｍｂとの接続は、ガス管Ｇ1，Ｇ2と流入管２および流出管３との接続と、流入管２および流出管３とガスメータＭとの接続との４つの接続で済むので、ガス管Ｇ1，Ｇ2とガスメータＭの導入口Ｍａおよび導出口Ｍｂとの各間に、ベンド管、エルボ管および直管を介在させる従来のものに比して、ガスメータの設置に要する手間を大幅に軽減することができる。しかも、支持板１、流入管２および流出管３全体が一体的にユニット化されているので、一部の部品の手配を忘れたり、あるいは施工中に紛失することがない。
【００２８】
また、ガス管Ｇ1，Ｇ2と流入管２および流出管３とを接続するに際しては、流入管２と流出管３との少なくとも一方を適宜回動させることにより、流入管２の流入側端部２１と流出管３の流出側端部３２との間隔をガス管Ｇ1，Ｇ2の上端部の間隔に合わせることができる。したがって、ガス管Ｇ1，Ｇ2の間隔が予め設定された間隔と異なる場合であっても、流入管２および流出管３をガス管Ｇ1，Ｇ2に容易に接続することができる。
【００２９】
さらに、流入管２および流出管３をガスメータＭのガス導入口Ｍａおよびガス導出口Ｍｂにそれぞれ接続するに際しては、流入管２の流出側端部２２と流出管３の流入側端部３１との間隔が、支持板１によりガス導入口Ｍａとガス導出口Ｍｂとの間隔と同一に維持される。したがって、それらの接続も容易に行うことができる。
【００３０】
また、この支持装置Ａでは、流入管２をガス管Ｇ1およびガスメータＭから容易に取り外すことができる。
すなわち、流入管２を取り外す場合には、ボルト５１を固定腕２４から外すとともに、接続ナット５４をガス導入口Ｍａから外しておく。次に、自在継手５２を緩めるように回動させる。このとき、仮に、流入管２が支持板１に対して上方へ移動不能であると、自在継手５２を緩めるのに伴って流入管２が上方へ押し上げられ、それによって支持板１の左側が押し上げられる。一方、支持板１の右側は流出管３によって上方への移動不能に押さえられている。このため、支持板１が曲がってしまう。このような不具合が生じないようにするには、流入管２の自在継手５２と流出管３の自在継手５６とを交互に少しずつ緩め、流入管２と流出管３とを同一量ずつ上方へ移動させる必要があり、流入管２の取り外しに多くの手間が掛かる。
【００３１】
この点、この支持装置Ａでは、係合溝２１ａと支持板１との係合を解除すると、流入管２が支持板１に対して上方へ移動可能になる。したがって、その状態では自在継手５２を緩めたとき、上方へ移動するのは流入管２だけであり、支持板１が上方へ移動することがない。よって、自在継手５２，５６を交互に緩める必要がなく、流入管２を容易に取り外すことができる。
【００３２】
なお、流入管２および流出管３が前位置に位置しているときには、ボルト５１，５１を緩め、支持板１を前方へ移動させることにより、係合溝２１ａと支持板１との係合を解除させることができる。
また、この支持装置Ａでは、流入管２にガス栓５５が設けられ、その故障の頻度が流出管３の各部に比して高い関係上、流入管２だけを支持板２に対して上方へ移動可能にしたが、流出管３を取り外す必要性が高い場合には、流出管３を、あるいは流入管２および流出管３の両者を支持板１に対して上方へ移動可能にしてもよい。これは、次に述べる他の実施の形態においても同様である。
【００３３】
図１０〜図１２は、この発明の他の実施の形態を示すものであり、この実施の形態のガスメータの支持装置ＢはガスメータＭ′を支持する。ガスメータＭ′は、上記ガスメータＭと異なり、下面にガス導入口Ｍａおよびガス導出口Ｍｂが設けられている。そこで、流入管２′および流出管３′が略クランク状に形成され、流入管２′の流出側端部２２および流出管３の流出側端部３１が、上方を向いた状態で第１ガイド溝１３Ａ，１３Ｂにそれぞれ挿入されている。勿論、流入管２′の流出側端部２２は、第１ガイド溝１３Ａに上下方向および前後方向へ移動可能に、かつ回動可能に挿入され、流出管３′の流入側端部３１は、第１ガイド溝１３Ｂに前後方向へ移動可能に、かつ回動可能に挿入されている。そして、支持板１′から上方に突出した流入管２′の流出側端部２２および流出管３′の流入側端部３１に、ガスメータＭ′のガス導入口Ｍａおよびガス導出口Ｍｂがそれぞれ連結されている。
【００３４】
また、この実施の形態のガスメータの支持装置Ｂは、剛性を有するガス管Ｇ1，Ｇ2に専用のものであるので、取付部１１、挿通孔１２および係合溝２１ａ，３２ａが形成されていない。さらに、第２ガイド溝１５Ａ，１５Ｂは、上記実施の形態の円弧部１５ａに対応する部分だけで構成されており、直線部１５ｂに対応する部分を有していない。
【００３５】
なお、この発明は、上記の実施の形態に限定されるものでなく、適宜設計変更可能である。
例えば、上記の実施の形態においては、自在継手５２（５６）の内周面にテーパ雌ねじ部５２ａを形成し、ガス管Ｇ1の外周面にテーパ雄ねじ部Ｇａを形成しているが、自在継手５２の外周面にテーパ雄ねじ部を形成し、ガス管Ｇ1の内周面にテーパ雌ねじ部を形成してもよい。
【００３６】
【発明の効果】
以上説明したように、請求項１〜５に係る発明によれば、ガスメータの設置に要する手間を大幅に軽減することができ、設置に必要な部材の手配漏れ、施工中の紛失を未然に防止することができ、さらに流入管および／または流出管を容易に取り外すことができるという効果が得られる。
請求項２に係る発明によれば、ガス管にガス栓を設置する手間を省くことができるという効果が得られる。
請求項３または４に係る発明によれば、流入管および流出管をガス管に容易に接続することができるという効果が得られる。
【図面の簡単な説明】
【図１】この発明の一実施の形態を示す正面図である。
【図２】同実施の形態の平面図である。
【図３】同実施の形態の側面図である。
【図４】図１のＸ−Ｘ線に沿う断面図である。
【図５】流入管と流出管とを閉位置と展開位置との間の位置に回動させた状態で示す同実施の形態の正面図である。
【図６】図５に示す状態の平面図である。
【図７】図５のＸ−Ｘ線に沿う拡大断面図である。
【図８】図５のＹ−Ｙ線に沿う断面図である。
【図９】同実施の形態の支持板を取付板を介して鉛直な壁面に取り付けたときの状態を示す正面図である。
【図１０】この発明の他の実施の形態を示す図１１のＸ−Ｘ線に沿う断面図である。
【図１１】同実施の形態の正面図である。
【図１２】同実施の形態の側面図である。
【図１３】ガスメータの従来の設置状態を示す図であって、図１３（Ａ）はその正面図、図１３（Ｂ）はその側面図である。
【符号の説明】
Ａ  ガスメータの支持装置
Ｂ  ガスメータの支持装置
Ｇ1  ガス管
Ｇ2  ガス管
Ｇａ  テーパ雄ねじ部（テーパねじ部）
１  支持板（装置本体）
１′  支持板（装置本体）
２  流入管
２′  流入管
３  流出管
３′  流出管
２１  流入側端部
２２  流出側端部
２３  ガス通路
３１  流入側端部
３２  流出側端部
３３  ガス通路
５１  ボルト（固定手段）
５２  自在継手（接続部材）
５２ａ  テーパ雌ねじ部（テーパねじ部）
５６  自在継手（接続部材）
【図１】
0004074384.tif 000002
【図２】
0004074384.tif 000003
【図３】
0004074384.tif 000004
【図４】
0004074384.tif 000005
【図５】
0004074384.tif 000006
【図６】
0004074384.tif 000007
【図７】
0004074384.tif 000008
【図８】
0004074384.tif 000009
【図９】
0004074384.tif 000010
【図１０】
0004074384.tif 000011
【図１１】
0004074384.tif 000012
【図１２】
0004074384.tif 000013
【図１３】
0004074384.tif 000014